(57)【要約】【課題】動物を逃がすことなく確実に捕獲できる動物捕獲器を提供する。【解決手段】第１捕獲室１０の出入口３に動物が出入りする部分において、動物を出入口３に誘導して第１捕獲室１０に侵入させるための第１誘導ユニット１と、第１捕獲室１０に侵入した動物を上記出入口３から第２捕獲室への入口４に誘導して第２捕獲室に捕獲するための第２誘導ユニット２とを備え、第１誘導ユニット１は、上記出入口３を閉鎖する初期状態から奥側が下がるよう揺動することにより出入口３を開放し、動物が第１捕獲室１０に侵入すると元の位置に復元するよう構成された第１揺動板１１を含み、第２誘導ユニット２は、上記入口４を閉鎖する初期状態から奥側が下がるよう揺動することにより入口４を開放し、動物が入口４を通過すると復元して入口４を閉鎖するよう構成された第２揺動板１２を含んでいる。【選択図】図１
2013123428.tif 000002
【特許請求の範囲】
【請求項１】
第１捕獲室の出入口に動物が出入りする部分において、動物を出入口に誘導して第１捕獲室に侵入させるための第１誘導ユニットと、
第１捕獲室に侵入した動物を上記出入口から第２捕獲室への入口に誘導して第２捕獲室に捕獲するための第２誘導ユニットとを備え、
第１誘導ユニットは、上記出入口を閉鎖する初期状態から奥側が下がるよう揺動することにより出入口を開放し、動物が第１捕獲室に侵入すると元の位置に復元するよう構成された第１揺動板を含み、
第２誘導ユニットは、上記入口を閉鎖する初期状態から奥側が下がるよう揺動することにより入口を開放し、動物が入口を通過すると復元して入口を閉鎖するよう構成された第２揺動板を含んでいることを特徴とする動物捕獲器。
【請求項２】
第１誘導ユニットは、上記第１揺動板の揺動軸よりも奥側に先端部が載置され、先端部が下がるよう揺動することにより上記第１揺動板の奥側を下げるように揺動させる第３揺動板をさらに含んでいる請求項１記載の動物捕獲器。
【請求項３】
第２誘導ユニットは、上記第２揺動板の揺動軸よりも奥側に先端部が載置され、先端部が下がるよう揺動することにより上記第２揺動板の奥側を下げるように揺動させる第４揺動板をさらに含んでいる請求項１または２記載の動物捕獲器。
【発明の詳細な説明】
【技術分野】
【０００１】
本発明は、ネズミ等の動物を捕獲するために使用される動物捕獲器に関する。
【背景技術】
【０００２】
従来より、ネズミ等の動物を捕獲するために、例えば下記の特許文献１に示すように、シーソー板を利用した動物捕獲箱が提供されている。この動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記動物捕獲箱は、シーソーの奥側がいっきに下がったときに磁石の吸引力で固定するようになっている。このため、捕獲された動物が驚いて暴れだすと磁石が外れてしまい、せっかく捕獲した動物に逃げられてしまうという問題がある。一方、鼠等の動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。また、１匹ないし２匹捕獲するのがせいぜいで、連続的に何匹も捕獲することができず、捕獲状況を頻繁に確認して１匹でも掛かっていれば捕獲された動物を取り出して初期状態に戻し、仕掛けなおさなければならない。
【０００５】
本発明は、上記課題を解決するためになされたものであり、動物を逃がすことなく確実に捕獲することができる動物捕獲器を提供することをその目的とする。
【課題を解決するための手段】
【０００６】
上記の目的を達成するため、本発明の動物捕獲器は、第１捕獲室の出入口に動物が出入りする部分において、動物を出入口に誘導して第１捕獲室に侵入させるための第１誘導ユニットと、
第１捕獲室に侵入した動物を上記出入口から第２捕獲室への入口に誘導して第２捕獲室に捕獲するための第２誘導ユニットとを備え、
第１誘導ユニットは、上記出入口を閉鎖する初期状態から奥側が下がるよう揺動することにより出入口を開放し、動物が第１捕獲室に侵入すると元の位置に復元するよう構成された第１揺動板を含み、
第２誘導ユニットは、上記入口を閉鎖する初期状態から奥側が下がるよう揺動することにより入口を開放し、動物が入口を通過すると復元して入口を閉鎖するよう構成された第２揺動板を含んでいることを要旨とする。
【発明の効果】
【０００７】
本発明の動物捕獲器によって動物を捕獲する際には、まず、第１誘導ユニットにより動物を第１捕獲室に侵入させる。すなわち、動物が第１揺動板の上に乗り、その上を奥に向かって移動すると、第１揺動板は奥側が下がるよう揺動する。すると、初期状態で第１揺動板によって閉鎖されていた出入口が開放される。開放された出入口から動物が第１捕獲室に侵入すると、第１揺動板は元の位置に復元する。これで動物は第１捕獲室に一時的に捕獲される。
つぎに、第１捕獲室に侵入した動物を、第２誘導ユニットにより、上記出入口から第２捕獲室への入口に誘導する。すなわち、第１捕獲室の内側から出入口を通過して第２揺動板の上に乗ると、第２揺動板は奥側が下がるよう揺動する。すると、初期状態で第２揺動板によって閉鎖されていた入口が開放される。開放された入口に動物が侵入すると、第２揺動板は元の位置に復元して入口を閉鎖する。そして、動物は第２捕獲室に捕獲される。
このようにして、連続的に何匹もの動物を確実に捕獲することができる。
【０００８】
本発明において、第１誘導ユニットは、上記第１揺動板の揺動軸よりも奥側に先端部が載置され、先端部が下がるよう揺動することにより上記第１揺動板の奥側を下げるように揺動させる第３揺動板をさらに含んでいる場合には、
動物が第３揺動板の上に乗ると、第３揺動板のほんの少しの揺動で第１揺動板の奥側が下がって出入口が開放する。したがって、動物が乗ったときの第３揺動板の揺動が小さいため、揺動が動物に与える刺激が小さく、動物に逃げられることが少なくなる。
【０００９】
本発明において、第２誘導ユニットは、上記第２揺動板の揺動軸よりも奥側に先端部が載置され、先端部が下がるよう揺動することにより上記第２揺動板の奥側を下げるように揺動させる第４揺動板をさらに含んでいる場合には、
動物が第４揺動板の上に乗ると、第４揺動板のほんの少しの揺動で第２揺動板の奥側が下がって入口が開放する。したがって、動物が乗ったときの第４揺動板の揺動が小さいため、揺動が動物に与える刺激が小さく、動物に逃げられることが少なくなる。
【図面の簡単な説明】
【００１０】
【図１】本発明の一実施形態における動物捕獲器を示す断面図である。
【図２】上記動物捕獲器の全体構造を説明するための図である。
【図３】一方通行にする構造を説明する図である。
【発明を実施するための形態】
【００１１】
以下、本発明の動物捕獲器の実施形態について、図面を参照して詳細に説明する。
【００１２】
図１は、本発明の一実施形態における動物捕獲器を示す断面図であり、図２はその全体構造を説明するための斜視図である。図３は通路を一方通行にする構造を説明する図である。
【００１３】
この動物捕獲器は、第１捕獲室１０の出入口３に動物が出入りする部分において、動物を出入口３に誘導して第１捕獲室１０に侵入させるための第１誘導ユニット１と、第１捕獲室１０に侵入した動物を上記出入口３から第２捕獲室（図示していない）への入口４に誘導して第２捕獲室に捕獲するための第２誘導ユニット２とを備えている。
【００１４】
詳しく説明すると、この動物捕獲器は、前面に出入口３を有する第１捕獲室１０の前側に、第１誘導ユニット１および第２誘導ユニット２が収容されるユニットケース５が配置されて構成されている。上記ユニットケース５は、２階建て構造になっている。その２階部分には、第１捕獲室１０の出入口３に動物を誘導するための第１誘導ユニット１が配置されている。１階部分には、第２捕獲室に向かって動物を誘導する通路６と、第１捕獲室１０の出入口３から上記通路６の入口４に動物を誘導するための第２誘導ユニット２が配置されている。
【００１５】
第１誘導ユニット１は、上記出入口３を閉鎖する初期状態から奥側が下がるよう揺動することにより出入口３を開放し、動物が第１捕獲室１０に侵入すると元の位置に復元するよう構成された第１揺動板１１を含んで構成されている。
【００１６】
上記第１揺動板１１は、揺動軸１５を軸にして奥側（図１の右側）がシーソーのように上下するよう揺動する。揺動軸１５の奥側が手前側よりも長くなっているとともに、手前側の下面に錘１７が取り付けられている。これにより、初期状態では、奥側が跳ね上がって、第１捕獲室１０の外側から見て出入口３を閉鎖した状態になっている。第１揺動板１１の奥側が下がるように揺動すると（図示の矢印Ａ）、第１捕獲室１０の外側から見て出入口３が開放される。第１揺動板１１の奥側が下がるように揺動したとき、第１揺動板１１の先端は、後述する第４揺動板１４の揺動軸２０よりも奥側（図１の右側）に当接して安定する。
【００１７】
また、第１誘導ユニット１は、上記第１揺動板１１の揺動軸１５よりも奥側に先端部が載置され、先端部が下がるよう揺動することにより上記第１揺動板１１の奥側を下げるように揺動させる第３揺動板１３をさらに含んでいる。
【００１８】
上記第３揺動板１３は、初期状態で昇り傾斜となるようバランスされていて、揺動軸１８を軸にして奥側（図１の右側）がシーソーのように上下するよう揺動する。第３揺動板１３の上に動物が乗って奥側に向かって前進すると、第３揺動板１３の奥側が下がるように揺動する（図示の矢印Ｂ）。すると、第３揺動板１３の先端が第１揺動板１１の揺動軸１５よりも奥側を押し下げて第１揺動板１１の奥側を下げるように揺動させる。これにより、上述したように、第１捕獲室１０の外側から見て出入口３が開放され、動物が出入口３から第１捕獲室１０に侵入する。
【００１９】
動物が第１捕獲室１０に侵入すると、第１揺動板１１の上にかかっていた荷重がなくなり、第１揺動板１１は初期状態に復元する。第３揺動板１３も初期状態に復元する。
【００２０】
この状態で、上記出入口３は、第１捕獲室１０の外側から見ると閉鎖されているが、第１捕獲室１０の内側から見ると外に出られる状態になっている。
【００２１】
第２誘導ユニット２は、上記入口４を閉鎖する初期状態から奥側が下がるよう揺動することにより入口４を開放し、動物が入口４を通過すると復元して入口４を閉鎖するよう構成された第２揺動板１２を含んで構成されている。
【００２２】
上記第２揺動板１２は、揺動軸１６を軸にして奥側（図１の左側）がシーソーのように上下するよう揺動する。揺動軸１６の奥側が手前側よりも長くなっているとともに、手前側の下面に錘１９が取り付けられている。これにより、初期状態では、奥側が跳ね上がって、第１捕獲室１０側から見て入口４を閉鎖した状態になっている。第２揺動板１２の奥側が下がるように揺動すると（図示の矢印Ｃ）、第１捕獲室１０側から見て入口４が開放される。
【００２３】
また、第２誘導ユニット２は、上記第２揺動板１２の揺動軸１６よりも奥側に先端部が載置され、先端部が下がるよう揺動することにより上記第２揺動板１２の奥側を下げるように揺動させる第４揺動板１４をさらに含んでいる。
【００２４】
上記第４揺動板１４は、初期状態で揺動軸２０の奥側（図１の左側）が第１捕獲室１０の出入口３から第２揺動板１２に向かって下り傾斜となっている。第４揺動板１４は、揺動軸２０の手前側（図１の右側）に錘となる屈曲部２１が形成されている。これにより、揺動軸２０の奥側の下り傾斜部分に動物が乗ると、揺動軸２０を軸にして奥側（図１の左側）がシーソーのように上下するよう揺動するようバランスされている。そして、第４揺動板１４の上に動物が乗って奥側に向かって前進すると、第４揺動板１４の奥側が下がるように揺動する（図示の矢印Ｄ）。すると、第４揺動板１４の先端が第２揺動板１２の揺動軸１６よりも奥側を押し下げて第２揺動板１２の奥側を下げるように揺動させる。これにより、上述したように、第１捕獲室１０側から見て入口４が開放され、動物が入口４から通路６に侵入する。また、上記屈曲部２１は、その先端が第１捕獲室１０の床面に当接している。これにより、出入口３から第１捕獲室１０内に動物が侵入して第４揺動板１４上に載ったときにも、第４揺動板１４は揺動することがない。これにより、動物に警戒心を与えないで捕獲することができる。
【００２５】
動物が通路６に侵入すると、第２揺動板１２の上にかかっていた荷重がなくなり、第２揺動板１２は初期状態に復元する。また、第４揺動板１４も初期状態に復元する。
【００２６】
この状態で、上記入口３は、第１捕獲室１０側から見て閉鎖されるとともに、通路６の内側から見ても閉鎖された状態になっている。
【００２７】
第２揺動板１２の先端部には、上向きの刃部２２が設けられている。これにより、第２揺動板１２が復元するときの動作で、通路６に侵入した動物の尻尾に刃部２２が当たる。このときの痛覚刺激で動物は速やかに通路６内を進み、図示しない第２捕獲室に捕獲される。
【００２８】
図３は、上記通路６の出口７に取り付けられる一方通行ユニット８である。この一方通行ユニット８は、通路６に連通するとともに通路６の反対側が開放された箱部２３と、上記箱部２３の開放された４辺にそれぞれ取り付けられた二等辺三角形状の板ばね材２４とを含んで構成されている。上記板ばね材２４は、二等辺部分同士を沿わせて全体として四角錐状となるように組まれている。二等辺部分同士は接合されていない。これにより、通路６を通って箱部２３に入った動物は、板ばね材２４を撓ませて先に進む。一旦進むと、板ばね材２４が元の四角錐状に復元して逆方向には戻れなくなる。また、床面に接する板ばね材２４の内面には、動物が這い出るときの足がかりとなる突起２５が形成されている。
【００２９】
上記一方通行ユニット８の先は、第２捕獲室まで動物を誘導する図示しない通路が接続されている。
【００３０】
このように、本実施形態の動物捕獲器によって動物を捕獲する際には、まず、第１誘導ユニット１により動物を第１捕獲室１０に侵入させる。すなわち、動物が第１揺動板１１の上に乗り、その上を奥に向かって移動すると、第１揺動板１１は奥側が下がるよう揺動する。すると、初期状態で第１揺動板１１によって閉鎖されていた出入口３が開放される。開放された出入口３から動物が第１捕獲室１０に侵入すると、第１揺動板１１は元の位置に復元する。これで動物は第１捕獲室１０に一時的に捕獲される。
つぎに、第１捕獲室１０に侵入した動物を、第２誘導ユニット２により、上記出入口３から第２捕獲室への入口４に誘導する。すなわち、第１捕獲室１０の内側から出入口３を通過して第２揺動板１２の上に乗ると、第２揺動板１２は奥側が下がるよう揺動する。すると、初期状態で第２揺動板１２によって閉鎖されていた入口４が開放される。開放された入口４に動物が侵入すると、第２揺動板１２は元の位置に復元して入口４を閉鎖する。そして、動物は第２捕獲室に捕獲される。
このようにして、連続的に何匹もの動物を確実に捕獲することができる。
【００３１】
また、第１誘導ユニット１は、上記第１揺動板１１の揺動軸１５よりも奥側に先端部が載置され、先端部が下がるよう揺動することにより上記第１揺動板１１の奥側を下げるように揺動させる第３揺動板１３をさらに含んでいるため、
動物が第３揺動板１３の上に乗ると、第３揺動板１３のほんの少しの揺動で第１揺動板１１の奥側が下がって出入口３が開放する。したがって、動物が乗ったときの第３揺動板１３の揺動が小さいため、揺動が動物に与える刺激が小さく、動物に逃げられることが少なくなる。
【００３２】
また、第２誘導ユニット２は、上記第２揺動板１２の揺動軸１６よりも奥側に先端部が載置され、先端部が下がるよう揺動することにより上記第２揺動板１２の奥側を下げるように揺動させる第４揺動板１４をさらに含んでいるため、
動物が第４揺動板１４の上に乗ると、第４揺動板１４のほんの少しの揺動で第２揺動板１２の奥側が下がって入口４が開放する。したがって、動物が乗ったときの第４揺動板１４の揺動が小さいため、揺動が動物に与える刺激が小さく、動物に逃げられることが少なくなる。
【００３３】
なお、上記実施形態において、捕らえる動物は、ネズミのような小動物だけでなく、アライグマ等の捕獲にも有効である。これらの動物は、集団で動くために餌付けにより複数を一網打尽に連続捕獲することができる。また、第１捕獲室としては箱状のものに限らず、容器形状としては各種のものを採用することができる。
【符号の説明】
【００３４】
１：第１誘導ユニット
２：第２誘導ユニット
３：出入口
４：入口
５：ユニットケース
６：通路
７：出口
８：一方通行ユニット
１０：第１捕獲室
１１：第１揺動板
１２：第２揺動板
１３：第３揺動板
１４：第４揺動板
１５：揺動軸
１６：揺動軸
１７：錘
１８：揺動軸
１９：錘
２０：揺動軸
２１：屈曲部
２２：刃部
２３：箱部
２４：板ばね材
２５：突起
【図１】
2013123428.tif 000003
【図２】
2013123428.tif 000004
【図３】
2013123428.tif 000005